【手続補正書】
【提出日】平成28年3月2日(2016.3.2)
【手続補正１】
【補正対象書類名】明細書
【補正対象項目名】０００７
【補正方法】変更
【補正の内容】
【０００７】
上記目的を達成するために、本発明の焦点検出装置は、入射する被写体からの光束を光電変換して得られた電荷を蓄積して、互いに視差を有する対の画像信号をそれぞれ出力する複数のセンサ部と、前記複数のセンサ部を巡回しながらモニタし、該モニタ中のセンサ部から出力される前記対の画像信号の特徴量信号を検出する特徴量検出手段と、前記特徴量検出手段により検出された前記特徴量信号が、予め決められた蓄積停止レベルより大きい場合に、前記モニタ中のセンサ部の電荷蓄積を停止する電荷蓄積停止処理を行う制御手段と、前記電荷蓄積を停止しのセンサ部から読み出された一対の画像信号に基づいて、焦点状態を検出する焦点検出手段とを有し、前記制御手段は、前記電荷蓄積停止処理を行った際の前記特徴量信号が飽和検知レベル以上の場合に、前記モニタ中のセンサ部に蓄積された電荷をリセットして電荷の再蓄積動作を行い、該再蓄積動作後に得られる前記特徴量信号が前記蓄積停止レベルに達して前記モニタ中のセンサ部の電荷蓄積を停止するか、または、予め決められた単独モニタ期間が経過するまで、前記モニタ中のセンサ部のモニタを継続する、単独モニタ処理を行うように制御する。
【手続補正２】
【補正対象書類名】明細書
【補正対象項目名】００５７
【補正方法】変更
【補正の内容】
【００５７】
Ｓ８００〜Ｓ８１１では、図８で説明した処理と同様に、ラインセンサ対１０２−１〜１０２−５を順次モニタする処理を行う。Ｓ８１１で、次のモニタ対象候補のラインセンサ対の蓄積終了フラグｅｎｄ［ｎ］＝１ではないと判断されると、Ｓ１１１２に進む。Ｓ１１１２では、後述する飽和フラグｓａｔ［ｎ］に基づき、次のモニタ対象候補のラインセンサが、飽和検知後の再蓄積の待機中であるか否かを判定する。飽和フラグｓａｔ［ｎ］＝１であれば、当該ラインセンサ対は再蓄積の待機中である。当該ラインセンサが再蓄積待機中でなければＳ８０４に戻って、巡回モニタ動作を継続する。
【手続補正３】
【補正対象書類名】明細書
【補正対象項目名】００５９
【補正方法】変更
【補正の内容】
【００５９】
ｔｉｍｅｒ＜ｔｉｍｅ＿ｒｅｓｔａｒｔであればＳ８０８へ戻り、さらに次のラインセンサ対についてモニタ対象か否かの判定を行う。なお、再蓄積タイミングとＳ１１２１〜Ｓ１１２７で行われる再蓄積動作については後述する。
【手続補正４】
【補正対象書類名】特許請求の範囲
【補正対象項目名】全文
【補正方法】変更
【補正の内容】
【特許請求の範囲】
【請求項１】
入射する被写体からの光束を光電変換して得られた電荷を蓄積して、互いに視差を有する対の画像信号をそれぞれ出力する複数のセンサ部と、
前記複数のセンサ部を巡回しながらモニタし、該モニタ中のセンサ部から出力される前記対の画像信号の特徴量信号を検出する特徴量検出手段と、
前記特徴量検出手段により検出された前記特徴量信号が、予め決められた蓄積停止レベルより大きい場合に、前記モニタ中のセンサ部の電荷蓄積を停止する電荷蓄積停止処理を行う制御手段と、 
前記電荷蓄積を停止しのセンサ部から読み出された一対の画像信号に基づいて、焦点状態を検出する焦点検出手段と
を有し、
前記制御手段は、前記電荷蓄積停止処理を行った際の前記特徴量信号が飽和検知レベル以上の場合に、前記モニタ中のセンサ部に蓄積された電荷をリセットして電荷の再蓄積動作を行い、該再蓄積動作後に得られる前記特徴量信号が前記蓄積停止レベルに達して前記モニタ中のセンサ部の電荷蓄積を停止するか、または、予め決められた単独モニタ期間が経過するまで、前記モニタ中のセンサ部のモニタを継続する、単独モニタ処理を行うように制御することを特徴とする焦点検出装置。
【請求項２】
前記特徴量検出手段は前記複数のセンサ部を予め決められた時間ずつ巡回しながらモニタし、前記制御手段は、前記特徴量信号が前記飽和検知レベル以上の場合に、前記単独モニタ処理の間、前記巡回を停止するように制御することを特徴とする請求項１に記載の焦点検出装置。
【請求項３】
前記単独モニタ期間は、前記複数のセンサ部の電荷蓄積を開始してから、前記特徴量信号が前記飽和検知レベルを超えていると判断するまでの時間に、任意の余裕時間を付加した時間であることを特徴とする請求項２に記載の焦点検出装置。
【請求項４】
前記特徴量検出手段は、前記モニタ中のセンサ部から出力される対の画像信号の最大値を検出することを特徴とする請求項１乃至３のいずれか１項に記載の焦点検出装置。
【請求項５】
前記特徴量検出手段は、前記モニタ中のセンサ部から出力される対の画像信号の最大値と最小値との差分信号を検出することを特徴とする請求項１乃至４のいずれか１項に記載の焦点検出装置。
【請求項６】
前記制御手段は、前記特徴量信号が前記飽和検知レベル以上であることが検出されるとすぐに前記単独モニタ処理を実行することを特徴とする請求項１乃至５のいずれか１項に記載の焦点検出装置。
【請求項７】
前記制御手段は、前記特徴量信号が前記飽和検知レベル以上の場合、前記複数のセンサ部の蓄積を開始してから、前記モニタ中のセンサ部に前記単独モニタ処理を実行するまでの待機時間を求め、前記待機時間が経過した後のセンサ部を巡回してモニタするときに、前記単独モニタ処理を実行することを特徴とする請求項１乃至５のいずれか１項に記載の焦点検出装置。
【請求項８】
前記待機時間は、前記単独モニタ期間中に前記モニタ中のセンサ部を除くセンサ部が飽和しないように求められた時間であることを特徴とする請求項７に記載の焦点検出装置。
【請求項９】
前記待機時間は、前記単独モニタ期間を、前記飽和検知レベルと前記蓄積停止レベルとの差に対する前記蓄積停止レベルの比で乗じた期間に、任意の余裕時間を付加した時間であることを特徴とする請求項８に記載の焦点検出装置。
【請求項１０】
前記複数のセンサ部それぞれについて、電荷の蓄積を許可するかどうかを設定する許可手段を更に有し、
前記特徴量検出手段は、前記許可手段により許可されたセンサ部のうち、前記電荷蓄積を停止したセンサ部を除くセンサ部を巡回してモニタすることを特徴とする請求項１乃至９のいずれか１項に記載の焦点検出装置。
【請求項１１】
入射した被写体からの光束を光電変換して、画像を構成する画像信号を出力する撮像手段と、
請求項１乃至１０のいずれか１項に記載の焦点検出装置と
を有することを特徴とする撮像装置。
【請求項１２】
入射する被写体からの光束を光電変換して得られた電荷を蓄積して、互いに視差を有する対の画像信号をそれぞれ出力する複数のセンサ部を巡回しながらモニタし、該モニタ中のセンサ部から出力される前記対の画像信号の特徴量信号を検出する特徴量検出工程と、
前記特徴量検出工程により検出された前記特徴量信号が、予め決められた蓄積停止レベルより大きい場合に、前記モニタ中のラインセンサの電荷蓄積を停止する電荷蓄積停止処理を行う蓄積停止工程と、
前記電荷蓄積停止処理を行った際の前記特徴量信号が飽和検知レベル以上の場合に、前記モニタ中のセンサ部に蓄積された電荷をリセットして電荷の再蓄積動作を行い、該再蓄積動作後に得られる前記特徴量信号が前記蓄積停止レベルに達して前記モニタ中のセンサ部の電荷蓄積を停止するか、または、予め決められた単独モニタ期間が経過するまで、前記モニタ中のセンサ部のモニタを継続する、単独モニタ処理を行う単独モニタ工程と、
前記電荷蓄積を停止しのセンサ部から読み出された一対の画像信号に基づいて、焦点状態を検出する焦点検出工程と
を有することを特徴とする焦点検出方法。
【手続補正５】
【補正対象書類名】図面
【補正対象項目名】図８
【補正方法】変更
【補正の内容】
【図８】
2014174282.tif 000001
【手続補正６】
【補正対象書類名】図面
【補正対象項目名】図１１
【補正方法】変更
【補正の内容】
【図１１】
2014174282.tif 000002